(57)【要約】【課題】入力される画像信号に音声情報を付加して出力することができる画像表示装置を提供する。【解決手段】画像信号が入力される複数の画像入力端子６と、入力される画像信号に基づく画像を投写する画像投写手段１０と、記憶媒体Ｍに格納された音声ファイルの音声データを再生する再生手段５０と、再生された音声データに基づく音声を発するスピーカー４１と、複数の画像入力端子６に対応する記憶媒体Ｍの音声ファイルを指定する再生音声情報２１１を記憶する記憶手段２１と、複数の画像入力端子６のうち、画像を表示する画像入力端子６を選択する画像信号入力手段１８と、再生音声情報２１１に基づき、画像信号入力手段１８により選択された画像入力端子６に対応する音声ファイルの音声データの音声をスピーカー４１より出力させる制御手段２０と、を備える。【選択図】図１
2015149644.tif 000002
【特許請求の範囲】
【請求項１】
画像信号が入力される複数の画像入力端子と、
前記入力される画像信号に基づく画像を表示する表示手段と、
記憶媒体に格納された音声ファイルの音声データを再生する再生手段と、
前記再生された音声データに基づく音声を出力する音声出力手段と、
前記複数の画像入力端子に対応する前記記憶媒体の音声ファイルを指定する再生音声情報を記憶する記憶手段と、
前記複数の画像入力端子のうち、画像を表示する画像入力端子を選択する選択手段と、
前記再生音声情報に基づき、前記選択手段により選択された画像入力端子に対応する音声ファイルの音声データの音声を前記音声出力手段により出力させる制御手段と、
を備えることを特徴とする画像表示装置。
【請求項２】
請求項１に記載の画像表示装置であって、
前記再生手段は、前記音声ファイルの音声データを繰り返し再生することを特徴とする画像表示装置。
【請求項３】
請求項１または２に記載の画像表示装置であって、
前記画像入力端子より画像信号が入力されているか否かを検出する検出手段をさらに備え、
前記制御手段は、前記検出手段により、選択されている前記画像入力端子に画像信号が入力されていない場合に前記音声出力手段による音声出力を停止することを特徴とする画像表示装置。
【請求項４】
画像信号が入力される複数の画像入力端子と、
前記入力される画像信号に基づく画像を表示する表示手段と、
記憶媒体に格納された音声ファイルの音声データを再生する再生手段と、
前記再生された音声データに基づく音声を出力する音声出力手段と、
前記複数の画像入力端子に対応する前記記憶媒体の音声ファイルを指定する再生音声情報を記憶する記憶手段と、を備える画像表示装置の制御方法であって、
前記複数の画像入力端子のうち、画像を表示する画像入力端子を選択する選択ステップと、
前記再生音声情報に基づき、前記選択ステップにより選択された画像入力端子に対応する音声ファイルの音声データの音声を前記音声出力手段により出力させる制御ステップと、
を有することを特徴とする画像表示装置の制御方法。
【発明の詳細な説明】
【技術分野】
【０００１】
本発明は、画像を表示する画像表示装置、および画像表示装置の制御方法に関する。
【背景技術】
【０００２】
従来、画像を表示する画像表示装置（例えばプロジェクター）を使ったデモンストレーションにおいて、入力される画像データに音声をＢＧＭ（Back Ground Music）として付加したいことがあった。この場合、デモンストレーションの画像データに音声データを追加する加工を施す方法があるが、煩雑な手間が必要であり、また画像データによっては加工が困難であった。
特許文献１には、複数の映像入力端子のそれぞれに対応して、音声入力端子が備えられ、映像入力端子が選択された場合、対応する音声入力端子から入力される音声を出力する装置が提案されている。
【先行技術文献】
【特許文献】
【０００３】
【特許文献１】特開２０１２−１４５６２０号公報
【発明の概要】
【発明が解決しようとする課題】
【０００４】
しかしながら、特許文献１のような装置では、あらかじめ各映像入力端子（画像入力端子）に対応する音声データを準備し、複数の音声入力端子に接続するという準備をしておく必要があり、手間がかかる上、接続が煩雑になるという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、画像信号が入力される複数の画像入力端子と、前記入力される画像信号に基づく画像を表示する表示手段と、記憶媒体に格納された音声ファイルの音声データを再生する再生手段と、前記再生された音声データに基づく音声を出力する音声出力手段と、前記複数の画像入力端子に対応する前記記憶媒体の音声ファイルを指定する再生音声情報を記憶する記憶手段と、前記複数の画像入力端子のうち、画像を表示する画像入力端子を選択する選択手段と、前記再生音声情報に基づき、前記選択手段により選択された画像入力端子に対応する音声ファイルの音声データの音声を前記音声出力手段により出力させる制御手段と、を備えることを特徴とする。
【０００７】
本適用例によれば、複数の画像入力端子より入力される画像を表示する表示手段と、記憶媒体に格納された音声ファイルの音声データを再生する再生手段を備え、選択された画像入力端子に対応する音声データを再生する。つまり、あらかじめ複数の画像入力端子に対応する音声ファイルを記憶媒体に格納しておくことで、画像入力端子の切替操作に対応して音声データも切り替わる。これにより、複数の画像入力端子に入力される画像データを切り替えながら表示するデモンストレーションにおいて、それぞれの画像データに異なる音声データをＢＧＭとして再生できるので、デモンストレーションの効果を上げることができる。また、画像入力端子以外の端子に外部から複数の音声データを入力する必要がないので、接続が煩雑になることを防止できる。
【０００８】
［適用例２］上記適用例に記載の画像表示装置において、前記再生手段は、前記音声ファイルの音声データを繰り返し再生することが好ましい。
【０００９】
本適用例によれば、画像入力端子に対応し、あらかじめ設定した音声ファイルの音声データを繰り返し再生するので、画像表示中に音声出力が途絶えることを防止することが可能となる。
【００１０】
［適用例３］上記適用例に記載の画像表示装置において、前記画像入力端子より画像信号が入力されているか否かを検出する検出手段をさらに備え、前記制御手段は、前記検出手段により、選択されている前記画像入力端子に画像信号が入力されていない場合に前記音声出力手段による音声出力を停止することが好ましい。
【００１１】
本適用例によれば、選択されている画像入力端子に画像信号が入力されない状態になったときに音声出力を停止するので、画像が表示されず音声のみが出力される状態を回避することが可能となる。
【００１２】
［適用例４］本適用例に係る画像表示装置の制御方法は、画像信号が入力される複数の画像入力端子と、前記入力される画像信号に基づく画像を表示する表示手段と、記憶媒体に格納された音声ファイルの音声データを再生する再生手段と、前記再生された音声データに基づく音声を出力する音声出力手段と、前記複数の画像入力端子に対応する前記記憶媒体の音声ファイルを指定する再生音声情報を記憶する記憶手段と、を備える画像表示装置の制御方法であって、前記複数の画像入力端子のうち、画像を表示する画像入力端子を選択する選択ステップと、前記再生音声情報に基づき、前記選択ステップにより選択された画像入力端子に対応する音声ファイルの音声データの音声を前記音声出力手段により出力させる制御ステップと、を有することを特徴とする。
【００１３】
本適用例によれば、複数の画像入力端子より入力される画像を表示する表示手段と、記憶媒体に格納された音声ファイルの音声データを再生する再生手段を備え、選択された画像入力端子に対応する音声データを再生する。つまり、あらかじめ複数の画像入力端子に対応する音声ファイルを記憶媒体に格納しておくことで、画像入力端子の切替操作に対応して音声データも切り替わる。これにより、複数の画像入力端子に入力される画像データを切り替えながら表示するデモンストレーションにおいて、それぞれの画像データに異なる音声データをＢＧＭとして再生できるので、デモンストレーションの効果を上げることができる。また、画像入力端子の他の端子に外部から複数の音声データを入力する必要がないので、接続が煩雑になることを防止できる。
【図面の簡単な説明】
【００１４】
【図１】実施形態に係るプロジェクターの回路構成を示すブロック図。
【図２】画像入力端子に対応する音声ファイルを示す図。
【図３】プロジェクターの画面表示と音声出力の遷移を示す図。
【図４】プロジェクターの動作を示すフローチャート。
【発明を実施するための形態】
【００１５】
以下、図面を参照して本発明の一実施形態であるプロジェクターについて説明する。
なお、以下の実施形態は特許請求の範囲にかかる発明を限定するものではなく、また、実施形態における特徴の組み合わせの全てが発明の解決手段に必須であるとは限らない。
【００１６】
（実施形態）
図１は、実施形態に係るプロジェクター１の回路構成を示すブロック図である。本実施形態のプロジェクター１の回路構成を、図１を用いて説明する。
図１に示すように、プロジェクター１は、画像入力端子６、画像投写手段１０、画像信号検出手段１５、ＯＳＤ処理手段１６、画像信号処理手段１７、画像信号入力手段１８、制御手段２０、記憶手段２１、光源制御手段２２、入力操作手段２３、電源端子３０、電源部３１、音声信号処理手段４０、スピーカー４１、再生手段５０等で構成されており、これらは筐体２の内部または外面に配置されている。
【００１７】
画像投写手段１０は、表示手段に相当するものであり、光源１１、３つの液晶ライトバルブ１２Ｒ，１２Ｇ，１２Ｂ、投写レンズ１３、液晶駆動手段１４等を含んでいる。画像投写手段１０は、光源１１から射出された光を、液晶ライトバルブ１２Ｒ，１２Ｇ，１２Ｂで変調し、変調された画像を投写レンズ１３から投写することによってスクリーンＳＣ等の投写面に投写画像を表示する。
【００１８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ対応する液晶ライトバルブ１２Ｒ，１２Ｇ，１２Ｂに入射する。
【００１９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
【００２０】
液晶駆動手段１４が、入力される画像データに応じた駆動電圧を各画素に印加すると、各画素は、画像データに応じた光透過率に設定される。このため、光源１１から射出された光は、この液晶ライトバルブ１２Ｒ，１２Ｇ，１２Ｂを透過することによって変調され、画像データに応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２１】
本実施形態では、光源として光源ランプ１１ａを用いて投写するプロジェクター１を例示したが、光源としてＬＥＤ（Light emitting diode）光源やレーザー光源などを用いて投写するプロジェクターにも適用することができる。
【００２２】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２３】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００２４】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。本実施形態では、記憶手段２１は、再生手段５０が再生する音声ファイルを示す再生音声情報２１１を記憶する。
【００２５】
図２は、再生音声情報２１１の設定内容を示す図である。図２に示すように、本実施形態では、３つの画像入力端子６１〜６３に、図示しない外部の画像供給装置である複数のパーソナルコンピューター（以降、第１のパーソナルコンピューターをＰＣＡ、第２のパーソナルコンピューターをＰＣＢ、第３のパーソナルコンピューターをＰＣＣと省略して呼称する。）が接続されている。
【００２６】
また、画像入力端子６１〜６３にはそれぞれに対応する音声ファイルが設定されている。画像入力端子６１（ＰＣＡ）には「ＳｏｕｎｄＡ．ＭＰ３」、画像入力端子６２（ＰＣＢ）には「ＳｏｕｎｄＢ．ＭＰ３」、画像入力端子６３（ＰＣＣ）には「ＭｕｓｉｃＡ．ＭＰ３」というように、それぞれの画像入力端子６の画像表示時に、設定された音声ファイルの音声データが再生され、スピーカー４１より出力される。
なお、これらの設定は入力操作手段２３のメニュー操作により行われる（図示せず）。
【００２７】
図１に戻って、入力操作手段２３は、ユーザーがプロジェクター１に対して各種指示を行うための複数の操作キーを備えている。入力操作手段２３が備える操作キーとしては、電源のオン・オフを交互に切り替えるための電源キーや、複数の画像入力端子６を切り替えるための入力切替キー、各種設定を行うための設定メニューを重畳表示させるメニューキー、メニューからユーザーが設定項目を選択するカーソルキー、各種設定を決定するための決定キー、設定中の画面を戻すためのエスケープキー等がある。
【００２８】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００２９】
複数の画像入力端子６には、ビデオ再生装置や、複数のパーソナルコンピューター（ＰＣＡ，ＰＣＢ，ＰＣＣ）等、図示しない外部の画像供給装置から、図示しないケーブルを介して画像信号が入力される。各画像入力端子６に入力された画像信号は、画像信号入力手段１８に供給される。
【００３０】
ユーザーが入力操作手段２３の入力切替キーを操作して所望の画像入力端子６の画像信号を指定すると、制御手段２０は指定された画像信号が画像信号処理手段１７に出力されるよう、画像信号入力手段１８に指示をする。なお、画像信号入力手段１８は、無線通信や光通信などの受信部を備え、外部機器から無線によって信号を入力する構成にしてもよい。
【００３１】
画像信号入力手段１８は、選択手段に相当するものであり、複数の画像入力端子６のうち、制御手段２０の指示に基づく１つの画像入力端子６を選択し、選択された画像入力端子６に入力される画像信号を画像信号処理手段１７、および画像信号検出手段１５に出力する。なお、以降の説明において、画像信号入力手段１８によって１つの画像入力端子６を選択することを「画像入力端子６を切り替える」とも表記する。
【００３２】
画像信号検出手段１５は、検出手段に相当するものであり、画像信号入力手段１８により選択された画像入力端子６より有効な画像信号が入力されているか否かの検出結果を制御手段２０に通知する。
【００３３】
光源制御手段２２は、制御手段２０の指示に基づいて、光源１１に対する電力の供給と停止とを制御し、光源１１の点灯、および消灯を切り替える。
【００３４】
再生手段５０は、制御手段２０の指示に基づいて、記憶媒体Ｍに格納されている音声ファイルから音声データを読み込み、音声信号処理手段４０に出力する。再生手段５０は、記憶媒体Ｍが筐体２の図示しない装着部に装着されているか否かを検出し、その検出結果を制御手段２０に通知する。
なお、以降の説明において、再生手段５０が、記憶媒体Ｍに格納されている音声ファイルから音声データを読み取って出力することを、「音声データを再生する」と表記する。再生手段５０は、制御手段２０の指示に基づき、音声ファイルの音声データを繰り返し再生する。
【００３５】
画像信号処理手段１７は、制御手段２０の指示に基づき、画像信号入力手段１８から入力される画像信号を、液晶ライトバルブ１２Ｒ，１２Ｇ，１２Ｂの各画素の階調を表す画像データに変換する。ここで、変換された画像信号は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３６】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像データを記憶している。
【００３７】
制御手段２０が、ＯＳＤ画像の重畳表示を指示すると、ＯＳＤ処理手段１６は、必要なＯＳＤ画像データをＯＳＤメモリーから読み出し、投写画像上の所定の位置にＯＳＤ画像が重畳されるように、画像信号処理手段１７から入力される画像データにこのＯＳＤ画像データを合成する。ＯＳＤ画像データが合成された画像データは、液晶駆動手段１４に出力される。
なお、制御手段２０からＯＳＤ画像を重畳する旨の指示がない場合には、ＯＳＤ処理手段１６は、画像信号処理手段１７から入力される画像データを、そのまま液晶駆動手段１４に出力する。
【００３８】
液晶駆動手段１４が、ＯＳＤ処理手段１６より入力される画像データに従って液晶ライトバルブ１２Ｒ，１２Ｇ，１２Ｂを駆動すると、画像データに応じた画像が投写レンズ１３より投写され、スクリーンＳＣの投写面に投写画像が表示される。
【００３９】
音声信号処理手段４０は、再生手段５０より入力された音声データを制御手段２０の指示に基づいて増幅し、スピーカー４１に出力する。
【００４０】
スピーカー４１は、音声信号処理手段４０から入力される音声データをユーザーに聞こえる可聴情報として出力する。スピーカー４１が音声出力手段に相当する。
【００４１】
電源部３１には、電源端子３０を介してＡＣ１００Ｖ等の電力が外部から供給される。電源部３１は、入力した電力（交流電力）を所定の直流電力に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４２】
図３は、プロジェクター１の画面表示と音声出力の遷移を示す図であり、図３（a）は、画像入力端子６１が選択された状態を示し、図３（ｂ）は、画像入力端子６２が選択された状態を示し、図３（ｃ）は、画像入力端子６３が選択された状態を示し、図３（ｄ）は、選択された画像入力端子６３に画像信号が入力されていない状態を示す。本実施形態のプロジェクター１の画面表示と音声出力の遷移を、図３を用いて説明する。
【００４３】
プロジェクター１の画像入力端子６１〜６３には、図２に示したように、ＰＣＡ，ＰＣＢ，ＰＣＣの３つのＰＣより画像信号が入力され、それぞれに対応する音声ファイルが設定されているものとする。また、図３（ａ）〜（ｄ）は画像入力端子６１〜６３に入力される画像を表示している状態であり、画像の下の「♪」に続く文字列は、再生している音声ファイルを示す。
【００４４】
図３（ａ）に示すように、画像入力端子６１が選択され、ＰＣＡの画像が表示されているとき、音声ファイル「ＳｏｕｎｄＡ．ＭＰ３」が再生され、スピーカー４１より出力される。ここで、画像入力端子６２に切り替えると、図３（ｂ）に示す状態に遷移する。
【００４５】
図３（ｂ）に示すように、画像入力端子６２が選択され、ＰＣＢの画像が表示されているとき、音声ファイル「ＳｏｕｎｄＢ．ＭＰ３」が再生され、スピーカー４１より出力される。ここで、画像入力端子６３に切り替えると、図３（ｃ）に示す状態に遷移する。
【００４６】
図３（ｃ）に示すように、画像入力端子６３が選択され、ＰＣＣの画像が表示されているとき、音声ファイル「ＭｕｓｉｃＡ．ＭＰ３」が再生され、スピーカー４１より出力される。ここで、画像入力端子６３に画像信号が入力されなくなると、図３（ｄ）に示す状態に遷移する。
【００４７】
図３（ｄ）に示すように、選択されている画像入力端子６３には画像信号が入力されていなことを示す「Ｎｏ  Ｓｉｇｎａｌ」の文字列を含む画像が表示される。画像入力端子６３より画像信号が入力されていないのでスピーカー４１の音声出力は停止する（♪無し）。ここで、画像信号が入力されると、図３（ｃ）に示す状態に遷移する。
【００４８】
図４は、プロジェクター１の動作を示すフローチャートを示し、図４（ａ）は、プロジェクター１が電源オンしたとき、および画像入力端子６の切替操作を受け付けたときの動作を示し、図４（ｂ）は、画像信号検出手段１５により画像信号入力状態が変化したことが検出されたときの動作を示すフローチャートである。本実施形態のプロジェクター１の動作を図４のフローチャートを用いて説明する。
【００４９】
［電源オンするとき］
図４（ａ）に示すように、プロジェクター１が入力操作手段２３の電源キー等により電源オンすると（ステップＳ１０１）、制御手段２０は光源制御手段２２に指示して光源１１を点灯させ（ステップＳ１０２）、ステップＳ１０３に遷移する。
【００５０】
ステップＳ１０３において制御手段２０は、再生手段５０に指示して、記憶媒体Ｍが装着されているか否かを調べる。記憶媒体Ｍが装着されている場合（ステップＳ１０３：Ｙ）には、ステップＳ１０４に遷移する。記憶媒体Ｍが装着されていない場合（ステップＳ１０３：Ｎ）には、ステップＳ１０６に遷移する。
【００５１】
ステップＳ１０４において制御手段２０は、画像信号検出手段１５により、選択している画像入力端子６に画像信号が入力されているか否かを調べる。画像信号が入力されている場合（ステップＳ１０４：Ｙ）には、ステップＳ１０５に遷移する。画像信号が入力されていない場合（ステップＳ１０４：Ｎ）には、ステップＳ１０６に遷移する。
【００５２】
ステップＳ１０５において、制御手段２０は、再生音声情報２１１に基づき、選択している画像入力端子６に対応する記憶媒体Ｍの音声ファイルの音声データを再生手段５０により再生させる。次に、再生した音声を、音声信号処理手段４０を介してスピーカー４１より出力させ、ステップＳ１０６に遷移する。
【００５３】
ステップＳ１０６において、制御手段２０は、画像入力端子６より入力される画像を画像投写手段１０により投写させ、本動作フローを終了する。
【００５４】
［入力切替操作を受け付けたとき］
図４（ａ）に示すように、入力操作手段２３の入力切替キーによる画像入力端子６の切替操作を受け付けると（ステップＳ１１１）、制御手段２０は、音声信号処理手段４０に指示してスピーカー４１の音声出力を停止させ（ステップＳ１１２）、ステップＳ１１３に遷移する。
【００５５】
ステップＳ１１３において、制御手段２０は、画像信号入力手段１８に指示して画像入力端子６を切り替え、ステップＳ１０３に遷移する。ステップＳ１０３以降の動作は、上述と同様のため、説明を省略する。ステップＳ１１３が選択ステップに相当する。
【００５６】
［画像信号入力状態の変化を検出したとき］
図４（ｂ）に示すように、画像信号検出手段１５が、選択されている画像入力端子６より入力される画像信号の入力状態の変化を検出すると（ステップＳ２０１）、ステップＳ２０２に遷移する。
【００５７】
ステップＳ２０２において、制御手段２０は、画像入力端子６より画像信号が入力されているか否かを調べる。画像信号が入力されている場合（ステップＳ２０２：Ｙ）には、ステップＳ２０３に遷移する。画像信号が入力されていない場合（ステップＳ２０２：Ｎ）には、ステップＳ２０６に遷移する。
【００５８】
ステップＳ２０３において、制御手段２０は、画像入力端子６より入力される画像を画像投写手段１０に投写させ、ステップＳ２０４に遷移する。
【００５９】
ステップＳ２０４において制御手段２０は、再生手段５０に指示して、記憶媒体Ｍが装着されているか否かを調べる。記憶媒体Ｍが装着されている場合（ステップＳ２０４：Ｙ）には、ステップＳ２０５に遷移する。記憶媒体Ｍが装着されていない場合（ステップＳ２０４：Ｎ）には、ステップＳ２０７に遷移する。
【００６０】
ステップＳ２０５において、制御手段２０は、再生音声情報２１１に基づき、選択している画像入力端子６に対応する記憶媒体Ｍの音声ファイルの音声データを再生手段５０により再生させる。次に、再生した音声を、音声信号処理手段４０を介してスピーカー４１より出力させ、ステップＳ２１０に遷移する。ステップＳ２０５が制御ステップに相当する。
【００６１】
ステップＳ２０６において、制御手段２０は、画像入力端子６に画像信号が入力されていない（無信号状態）ことを示す画像（図３（ｄ）参照）を画像投写手段１０に投写させ、ステップＳ２０７に遷移する。
【００６２】
ステップＳ２０７において、制御手段２０は、音声信号処理手段４０に指示してスピーカー４１の音声出力を停止させ、ステップＳ２１０に遷移する。
【００６３】
ステップＳ２１０において、本動作フローを終了し、元の動作に戻る。
【００６４】
上述した実施形態によれば、以下の効果を得られる。
本実施形態のプロジェクター１によれば、複数の画像入力端子６より入力される画像を表示する画像投写手段１０と、記憶媒体Ｍに格納された音声ファイルの音声データを再生する再生手段５０を備え、選択された画像入力端子６に対応する音声データを再生する。
つまり、あらかじめ複数の画像入力端子６に対応する音声ファイルを記憶媒体Ｍに格納しておくことで、画像入力端子６の切替操作に対応して音声データも切り替わる。これにより、複数の画像入力端子６に入力される画像データを切り替えながら表示するデモンストレーションにおいて、それぞれの画像データに異なる音声データをＢＧＭとして再生できるので、デモンストレーションの効果を上げることができる。
また、画像入力端子６以外の端子に外部から複数の音声データを入力する必要がないので、接続が煩雑になることを防止できる。
【００６５】
また、画像入力端子６に対応し、あらかじめ設定した音声ファイルの音声データを繰り返し再生するので、画像表示中に音声出力が途絶えることを防止することが可能となる。
【００６６】
また、選択されている画像入力端子６に画像信号が入力されない状態になったときに音声出力を停止するので、画像が表示されず音声のみが出力される状態を回避することが可能となる。
【００６７】
また、上記実施形態は、以下のように変更してもよい。
（変形例１）
上述した実施形態において、再生音声情報２１１は、各画像入力端子６について複数の音声ファイルを設定できるようにしてもよい。
【００６８】
（変形例２）
上述した実施形態では、プロジェクター１を画像表示装置として構成しているが、プロジェクター１に限らず、液晶ディスプレイや有機ＥＬ（Electro Luminescence）ディスプレイのように、画像を表示する表示面そのものを備える装置を画像表示装置として構成してもよい。この構成の場合、表示面が表示手段に相当する。
【符号の説明】
【００６９】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１５…画像信号検出手段、１６…ＯＳＤ処理手段、１７…画像信号処理手段、１８…画像信号入力手段、２０…制御手段、２１…記憶手段、２１１…再生音声情報、２２…光源制御手段、２３…入力操作手段、３０…電源端子、３１…電源部、４０…音声信号処理手段、４１…スピーカー、５０…再生手段、ＳＣ…スクリーン。
【図１】
2015149644.tif 000003
【図２】
2015149644.tif 000004
【図３】
2015149644.tif 000005
【図４】
2015149644.tif 000006